(57)【特許請求の範囲】
【請求項１】
パネルに被われた展示室を備えた自動販売機において、前記パネルに取り付けられた商品選択釦と、前記展示室内に設けられ前記パネルと分離し離間可能に構成された展示室内部材とを備え、前記商品選択釦の操作を検出する検出装置を前記展示室内部材に配設したことを特徴とする自動販売機。
【請求項２】
前記商品選択釦は前記パネルに形成された取付穴に嵌め込み取付されていることを特徴とする請求項１に記載の自動販売機。
【請求項３】
前記展示室内部材は、商品サンプルを展示するサンプル展示基台であって、該サンプル展示基台内には前記商品サンプルを照明するための照明装置が配設されていることを特徴とする請求項１または請求項２に記載の自動販売機。
【発明の詳細な説明】
【０００１】
【発明の属する技術分野】
本発明は、展示室を被う透明パネルに商品選択釦が配設された自動販売機に関する。
【０００２】
【従来の技術】
特開平３−４００９２号公報には、サンプル展示室の前面パネルに商品選択スイッチ装置が設けられ、そのスイッチ部を前面パネルの裏に取付けられたスイッチ取付部材内に取付支持し、そして、この取付部材の前部の傾斜せる面部に、販売価格や商品に関連する表示を記させて表示板とし、また商品サンプルの展示交換を可能とするようなサンプル展示基台を後退位置可能とし、その先端を通常スイッチ取付部材の後端に当接し、サンプル交換の時、離れるように構成した自動販売機が示されている。
【０００３】
【発明が解決しようとする課題】
しかしながら、この従来装置であると、選択釦の操作を検出するスイッチが選択釦とともに展示室の前面パネル側に設置されているために、選択釦や前面パネルを交換する際には、スイッチの電源ハーネスの着脱処理等が必要であり作業が面倒であった。また、スイッチが前面パネルに固定されているために、例えば特開平３−１８５５９６号公報に示されるように、スイッチのハーネスを展示室の側部を経由させて処理する必要があり、ハーネスが長くなるとともに、露出したハーネスが美観を損ねるといった問題があった。
【０００４】
そこで、本発明は、商品選択釦やパネルの交換作業を容易にし、美観に優れた自動販売機を提供することを目的とするものである。
【０００５】
【課題を解決するための手段】
請求項１の発明は、パネルに被われた展示室を備えた自動販売機において、前記パネルに取り付けられた商品選択釦と、前記展示室内に設けられ前記パネルと分離し離間可能に構成された展示室内部材とを備え、前記商品選択釦の操作を検出する検出装置を前記展示室内部材に配設したことを特徴とするものである。
【０００６】
この構成によれば、検出装置がパネルおよび商品選択釦と分離するので、検出手段とは別個に商品選択釦やパネルを交換することができ作業が容易である。
【０００７】
請求項２の発明は、請求項１の構成において、前記商品選択釦は前記パネルに形成された取付穴に嵌め込み取付されていることを特徴とするものである。
【０００８】
この構成によれば、商品選択釦の交換作業がより一層容易になる。
【０００９】
請求項３の発明は、請求項１または請求項２の構成において、前記展示室内部材は、商品サンプルを展示するサンプル展示基台であって、該サンプル展示基台内には前記商品サンプルを照明するための照明装置が配設されていることを特徴とするものである。
【００１０】
この構成によれば、検出装置が照明装置を設けたサンプル展示基台に配設されているので、それぞれの電源ハーネス等を共にサンプル展示基台内で処理することができ、展示室の美観を損ねないようにできる。
【００１１】
【発明の実施の形態】
以下、本発明の実施例を図面に基づいて説明する。
【００１２】
１は自動販売機本体の前部に開閉自在に設けられた前面扉にして、その正面側にサンプル展示室２、硬貨投入口３および商品取出口４などが設けられている。サンプル展示室２の前面は透明パネル５で被われ、そして、サンプル展示室２の背壁は前面扉１に対して開閉可能とされた展示室裏扉６にて構成されている。従ってこの展示室裏扉６を開くとサンプル展示室２は開放される。
【００１３】
前記展示室裏扉６の内面側にはサンプル展示基台７（展示室内部材）が装着されており、この展示基台７上に商品サンプル８が展示固定される。従って展示室裏扉６を開く時、展示基台７も透明パネル５から離れるよう後退する。前記展示基台７は透明な樹脂部材等にて形成され、前方に突出する延出部７ｂの前端の一部を斜めに切除して傾斜面１０を形成し、この傾斜面１０に販売商品に関連する説明板８や価格銘板９などを設けて表示部１０Ａとしている。そして前記展示基台７内には、蛍光灯などの照明光源１１（照明装置）が配設され、商品サンプル８の照明、そして表示部１０Ａの照明を行う。また透明パネル５に施された広告などの電照も可能とする。更にこの展示基台７の延出部７ｂ内には後述する商品選択釦にてスイッチ動作されるスイッチ１２（検出装置）が設けられている。１３はそのスイッチ子である。
【００１４】
一方、透明パネル５側には、前記スイッチ子１３を押圧する押圧子１４を裏に一体に突設させた商品選択釦１５が押圧自在に装着される。そして押圧子１４はサンプル展示基台７の前端面７ａに形成した透孔より展示基台７内に進入し、その先端をスイッチ子１３と対向させている。１６は前記商品選択釦１５を取付保持する環形の取付部材にして、ゴムや樹脂などの可撓性部材により形成され、透明パネル５に設けた取付穴に対して、外周の取付溝１６ｂを嵌め込むことで取付固定される。
【００１５】
前記商品選択釦１５は、前記取付部材１６の表側に形設した凹所１６ｄに内挿したコイルスプリング１７により常に外方に少し押し出された状態で取付保持されていて、操作時にコイルスプリング１７に抗し押した時、所定のストローク分右方に移動して、スイッチ１２のスイッチ子１３を押しスイッチ作動を行う。
【００１６】
すなわち商品選択釦１５と、それによってスイッチ作動されるスイッチ１２とは分離され、商品選択釦１５は前面扉１の表側に取付け、一方スイッチ１２自体は移動可能な展示基台７側に設け、展示室裏扉６を閉めると商品選択釦１５とスイッチ１２とは対向位置し、スイッチ作動可能となる構成となっている。また販売価格や商品関連表示を、サンプル展示室を開く時に、透明パネルから離れる展示基台７前端の傾斜面１０に付し、その離間時にゴミが落下するようにしている。そして、商品選択釦１５とサンプル展示基台７とを一対一で対応させることを可能として図１に示すように、商品サンプル８、商品選択釦１５また商品に関する表示部を自由に配置できるように構成している。
【００１７】
以上の構成となっており、展示室裏扉６を閉め、サンプル展示室２を形成した通常（販売）状態では、図６に示すように、サンプル展示基台７の前端面７ａと商品選択釦１５とは相対向し、また展示基台７前端の傾斜面１０の先端が透明パネル５と当接するほどに接近して、透明パネル５とこの表示部１０Ａとの間に溝部２１を形成するようになる。
【００１８】
スイッチ１２とは図４の如き関係となるので、客が商品選択釦１５を押すとその押圧子１４がスイッチ１２のスイッチ子１３を押し、スイッチ作動して販売指令が発し、商品送出装置（図示せず）が駆動して商品が搬出される。
【００１９】
一方、展示室裏扉６を開くと図５に示すように商品選択釦１５とサンプル展示基台とが分離し離間する。このとき、スイッチ１２はサンプル展示基台７に配設されているので、商品選択釦１５とスイッチ１２とが分離される。したがって、透明パネル５や商品選択釦１５の交換はスイッチ１２とは別個に行えるので、作業が容易である。また、スイッチ１２のハーネス（図示せず）等は、従来のように透明パネル５側には残らないので、交換時のハーネス処理も不要となる。さらに、スイッチ１２のハーネスは照明光源１１と同様にサンプル展示基台７内で処理することが可能であるので、ハーネスによって展示室の美観を損なうことを防止できる。また、上述の通り、商品選択釦１５は透明パネル５に嵌め込みによって取り付ける構成であるので、商品選択釦１５の交換作業は一層容易である。
【００２０】
ところで、図６に示すように商品選択釦１５とサンプル展示基台７の表示部１０Ａとの間の溝部２１にゴミや虫の死骸などの不潔物ｇが溜り易い。
【００２１】
このようにゴミや虫の死骸が溜った時、サンプル展示室２の背後を開放するよう展示室裏扉６を開くと図５に示すように商品選択釦１５とサンプル展示基台７との間を拡げることができ、溝部２１は無くなりこれらの不潔物ｇを自然に落下させることができる。また清掃も容易である。
【００２２】
【発明の効果】
以上のように本発明によれば、検出装置がパネルおよび商品選択釦と分離するので、検出手段とは別個に商品選択釦やパネルを交換することができ作業が容易である。
【００２３】
また、商品選択釦はパネルに形成された取付穴に嵌め込み取付されているので、商品選択釦の交換作業がより一層容易である。
【００２４】
また、検出装置が照明装置を設けたサンプル展示基台に配設されているので、それぞれの電源ハーネス等を共にサンプル展示基台内で処理することができ、展示室の美観を損ねないようにできる。
【図面の簡単な説明】
【図１】本発明に係る自動販売機の正面図。
【図２】サンプル展示基台と前面の商品選択釦との関係構造を示す要部側断面図。
【図３】図２と同等趣旨の要部構成正面図。
【図４】スイッチを内挿したサンプル展示基台と、商品選択釦を装着した透明パネルが対向し、スイッチ操作の行われる状態を示す要部構造側面図。
【図５】サンプル展示基台が透明パネルより後退した状態を示す要部構造側面図。
【図６】透明パネルとサンプル展示基台の表示部との間の溝部にゴミなどが溜る様相を示す要部構造側面図。
【符号の説明】
２  サンプル展示室
５  透明パネル
７  サンプル展示基台（展示室内部材）
１０  傾斜面
１１  照明光源（照明装置）
１２  スイッチ（検出装置）
１５  商品選択釦
２１  溝部
ｇ  ゴミ等の不潔物
【図１】
0003643040.tif 000002
【図２】
0003643040.tif 000003
【図３】
0003643040.tif 000004
【図４】
0003643040.tif 000005
【図５】
0003643040.tif 000006
【図６】
0003643040.tif 000007